【手続補正書】
【提出日】平成16年8月19日(2004.8.19)
【手続補正１】
【補正対象書類名】明細書
【補正対象項目名】特許請求の範囲
【補正方法】変更
【補正の内容】
【特許請求の範囲】
【請求項１】
物体側より順に、正屈折力の第１レンズ群と、正屈折力の第２レンズ群と、負屈折力の第３レンズ群より構成され、広角端から望遠端に変倍する時に前記各々のレンズ群が物体側に移動すると共に、前記第１レンズ群と前記第２レンズ群の間隔が大きくなり、前記第２レンズ群と前記第３レンズ群の間隔が小さくなるように移動し、以下の条件式を満足することを特徴とするズームレンズ。
０．０３＜｜ｆ3 ｜／ｆT ＜０．２５        （１）
０．２＜ΔＸ3T／ｆT ＜０．４４            （２）
１．５＜β3T／β3W＜６．０                （３）
但し、ｆ3 は前記第３レンズ群の焦点距離、ｆT は前記ズームレンズ全系の望遠端における焦点距離、ΔＸ3Tは広角端を基準とした時の望遠端までの前記第３レンズ群の移動量、β3Tは前記第３レンズ群の望遠端における横倍率、β3Wは前記第３レンズ群の広角端における横倍率である。
【請求項２】
物体側より順に、正屈折力の第１レンズ群と、正屈折力の第２レンズ群と、負屈折力の第３レンズ群より構成され、広角端から望遠端に変倍する時に前記各々のレンズ群が物体側に移動すると共に、前記第１レンズ群と前記第２レンズ群の間隔が大きくなり、前記第２レンズ群と前記第３レンズ群の間隔が小さくなるように移動し、変倍比が３以上で、望遠比が０．８〜０．５であるズームレンズ。
【請求項３】
物体側より順に、正屈折力の第１レンズ群と、正屈折力の第２レンズ群と、負屈折力の第３レンズ群より構成され、広角端から望遠端に変倍する時に前記各々のレンズ群が物体側に移動すると共に、前記第１レンズ群と前記第２レンズ群の間隔が大きくなり、前記第２レンズ群と前記第３レンズ群の間隔が小さくなるように移動し、前記第３レンズ群は最も物体側にあるレンズの物体側面が物体側に強い凹面を有し、前記第２レンズ群と前記第３レンズ群が最も接近した状態で、前記第２レンズ群の最も像側にあるレンズ面の面頂点が、前記物体側に強い凹面を有するレンズの周辺部よりも像側に位置するズームレンズ。
【請求項４】
物体側より順に、正屈折力の第１レンズ群と、正屈折力の第２レンズ群と、負屈折力の第３レンズ群より構成され、広角端から望遠端に変倍する時に前記各々のレンズ群が物体側に移動すると共に、前記第１レンズ群と前記第２レンズ群の間隔が大きくなり、前記第２レンズ群と前記第３レンズ群の間隔が小さくなるように移動し、前記第３レンズ群が物体側より第１の負メニスカスレンズ、正レンズ、第２の負メニスカスレンズで構成され、前記第１の負メニスカスレンズの物体側面の曲率半径が、前記第２の負メニスカスレンズの物体側面の曲率半径に比べて小さくなっているズームレンズ。
【請求項５】
物体側より順に、正屈折力の第１レンズ群と、正屈折力の第２レンズ群と、負屈折力の第３レンズ群より構成され、広角端から望遠端に変倍する時に前記各々のレンズ群が物体側に移動すると共に、前記第１レンズ群と前記第２レンズ群の間隔が大きくなり、前記第２レンズ群と前記第３レンズ群の間隔が小さくなるように移動し、前記第３レンズ群が物体側より第１の負メニスカスレンズ、正レンズ、第２の負メニスカスレンズで構成され、前記正レンズの光軸上における厚みは、前記第１及び第２の負メニスカスレンズのそれぞれの光軸上における厚みよりも大きいズームレンズ。
【請求項６】
前記第１レンズ群は１枚の正レンズと１枚の負レンズからなるダブレットレンズを少なくとも有し、前記第２レンズ群は開口絞りと１枚の正レンズと１枚の負レンズからなるダブレットレンズを少なくとも有し、前記第３レンズ群は１枚の物体側に強い凹面を向けた負レンズと１枚の正レンズを少なくとも備える請求項１〜５何れか１項に記載のズームレンズ。
【請求項７】
前記第１レンズ群の前記正レンズが物体側に強い凸面を有している請求項６に記載のズームレンズ。
【請求項８】
前記第1レンズ群の前記正レンズまたは負レンズの少なくとも１面に、望遠端における球面収差を良好に補正する形状を有する非球面を設けた請求項６又は７に記載のズームレンズ。
【請求項９】
前記非球面を前記正レンズの物体側面に設けた請求項８に記載のズームレンズ。
【請求項１０】
前記第２レンズ群が、更に物体側に凹面を向けた負レンズを有する請求項６に記載のズームレンズ。
【請求項１１】
前記第２レンズ群のダブレットレンズは、物体側に凸面を向けた負メニスカスと両凸レンズからなる請求項６に記載のズームレンズ。
【請求項１２】
前記第２レンズ群が開口絞りを備え、前記物体側に凹面を向けた負レンズと該絞りが物体側よりこの順番で配置され、前記ダブレットレンズが最も像側に配置されている請求項１０に記載のズームレンズ。
【請求項１３】
前記第２レンズ群が開口絞りを備え、該絞りと前記物体側に凹面を向けた負レンズとが物体側よりこの順番で配置され、前記ダブレットレンズが最も像側に配置されている請求項１０に記載のズームレンズ。
【請求項１４】
前記物体側に凹面を向けた負レンズの凹面側に、軸外収差を良好に補正する形状を有する非球面を設けた請求項１１に記載のズームレンズ。
【請求項１５】
更に前記正レンズの像側に非球面を設けた請求項１４に記載のズームレンズ。
【請求項１６】
前記開口絞りの像側に両凸レンズを有する請求項１２又は１３に記載のズームレンズ。
【請求項１７】
前記開口絞りの像側に正レンズと負レンズからなるダブレットレンズを有する請求項１２に記載のズームレンズ。
【請求項１８】
更にフレア絞りを有する請求項１７に記載のズームレンズ。
【請求項１９】
前記第２レンズ群の最も物体側の面が物体側に凹面であり、最も像側の面が像側に凸面である請求項６に記載のズームレンズ。
【請求項２０】
前記第３レンズ群の前記１枚の物体側に強い凹面を向けた負レンズと１枚の正レンズでダブレットレンズを構成し、更に該ダブレットレンズの像側に物体側に強い凹面を向けた負レンズを有する請求項６に記載のズームレンズ。
【請求項２１】
前記物体側に強い凹面のいずれかに、広角端における周辺像面を良好に補正する形状を有する非球面を設けた請求項２０に記載のズームレンズ。
【請求項２２】
前記第３レンズの正レンズの少なくとも１面に、広角端における周辺像面を良好に補正する形状を有する非球面を設けた請求項６に記載のズームレンズ。
【請求項２３】
前記第１レンズ群乃至前記第３レンズ群を構成するレンズの総数が、１０枚以下のレンズで構成されている請求項１〜５何れか１項に記載のズームレンズ。
【請求項２４】
前記第１レンズ群乃至前記第３レンズ群を構成するレンズの総数が、９枚以下のレンズで構成されている請求項１〜５何れか１項に記載のズームレンズ。
【請求項２５】
前記第１レンズ群乃至前記第３レンズ群を構成するレンズの総数が、８枚以下のレンズで構成されている請求項１〜５何れか１項に記載のズームレンズ。
【請求項２６】
前記第１レンズ群の最も像側面と前記第２レンズ群の最も物体側面が向かい合った凹面である請求項１〜５何れか１項に記載のズームレンズ。
【請求項２７】
変倍比が３．５以上で、望遠比が０．７５以下である請求項２に記載のズームレンズ。
【請求項２８】
前記正レンズの光軸上における厚みが、前記第１及び第２の負メニスカスレンズの光軸上における厚み合計よりも１．７倍〜２．３倍である請求項５に記載のズームレンズ。
【請求項２９】
第３レンズ群の各レンズの周辺が互いに接している請求項１〜５何れか１項に記載のズームレンズ。
【請求項３０】
前記第２レンズ群の前記正レンズまたは前記負レンズの少なくとも１面に、軸外収差を良好に補正する形状を有する非球面を設けたことを特徴とする請求項６に記載のズームレンズ。
【請求項３１】
前記第３レンズ群の負レンズの物体側の強い凹面に、広角端における周辺像面を良好に補正する形状を有する非球面を設けたことを特徴とする請求項６に記載のズームレンズ。